(57)【要約】  本発明は、振動を使用して重力により機能する機械機構である。それは、中央に吊り下げた振り子からなり、その上に２つのギヤが固定され、それらは両側のすべてのギヤのための動作発電機であり、クリーンで一貫した自由な電力を生成する。振り子の底部には、非共振磁石が取り付けられ、機械の底部には別の非共振磁石があり、振り子の一貫した動作を継続的に確保し、加えて２つの鉄製の湾曲ブラケットがあり、それぞれ本発明のすべての部品を保持するほぼ４分円であり、振り子の動作とともに振動し、その底部はその頭部よりも重く、加えていくつかのさまざまなギヤおよび機械的固定部があり、単一方向における速度、マルチプレート動作および制御動作を改善する。この機械は、必要に応じて最小化および最大化することができ、磁石を片側の小型の油圧ピストンに置き換えることもできる。両側には発電のための２つのダイナモがある。この機械を操作するためにロボットを利用することもできる。図２参照【選択図】図２
2021518741.tif 000002
【特許請求の範囲】
【請求項１】
発電機であって、
回転手段と、１つの振り子と、２つのアーチ部であって、それぞれ遠心力エネルギーを生成するための４分円に等しいサイズを有する、２つのアーチ部と、前記エネルギーを捕捉する抽出手段と、前記エネルギーを使用可能な形態に変換する変換手段と、を備える、発電機。
【請求項２】
２つの湾曲したアーチ部が、４分円のサイズを有し、すべての細部がその上に設置される、請求項１に記載の発電機。
【請求項３】
懸架した前記振り子が、壁掛け時計のように永久に動作する、請求項１に記載の発電機。
【請求項４】
懸架した前記振り子の底部に磁石を設置し、他の磁石が、地面の近傍の２つの中央壁の間にあり、懸架した前記振り子を停止せず動作させる、請求項１に記載の発電機。
【請求項５】
２つのギヤが、上部にあり、それらの間で前記振り子がすべてのギヤを動かし、それらの半径が、前記振り子の長さの約４分の１である、請求項１に記載の発電機。
【請求項６】
前記動作の勾配が、ギヤの前記サイズに基づく、請求項１に記載の発電機。
【請求項７】
外部の超大型ギヤが、機械的な一方向運動制御部により一方向に動き、直接発電機に置き換えることができ、このギヤが、その自由な動作において自転車のホイールに類似する、請求項１に記載の発電機。
【請求項８】
アーチ部および振り子の永久動作が電気の生成に使用される、請求項１に記載の発電機。
【請求項９】
端部の小型ピストンが、前記デバイス自体により夜間または非ピーク時、かつ前記ピストンを遮断し、前記デバイスの自由な動作を妨げないとき、バッテリを充電することにより電気または油圧式を使用して、動作および生成機能を増大させる、請求項１に記載の発電機。
【請求項１０】
本発明のすべての前記細部が、前記アーチ部の上で揺動し、位置決め中心から永久にかつ継続的にわずかに動く、請求項１に記載の発電機。
【請求項１１】
２つの反発磁石を使用して、発電における重力の使用を最大化し、前記振り子のあらゆる動作を発電に最大限に利用する、請求項１に記載の発電機。
【発明の詳細な説明】
【技術分野】
【０００１】
本開示は、発電のためのデバイスおよび方法に関する。より具体的には、本開示は、反発磁石を使用して重力に基づいて発電を行うデバイスおよび方法に関する。
【背景技術】
【０００２】
現在、世界にエネルギー危機が存在していることは十分に立証されている。エネルギー、特に電気エネルギーの需要は、大幅に増加し、かつ増加し続けている。化石燃料の供給は減少しており、すべてのエネルギー要件を満たすために、それに依存することはできない。原子エネルギーはエネルギー危機に部分的な解決策を提供してきたが、その環境問題のために開発が遅れている。たとえ十分な化石燃料が入手可能であっても、そのような燃料により生じる汚染は依然として深刻な問題である。環境主義者は多大な努力を費やして、水質汚染、大気汚染、および熱汚染を増加させる追加の発電設備の建設を妨げている。潜在的なエネルギー源としての自然界の力を利用することが認識されている。エネルギー源として風、波、および太陽を利用することが検討されている。
【０００３】
太陽光発電には多くの方法があり、その多くは現在一般的な太陽光発電であるが、強い太陽の下で昼間だけ機能し、雲、霧、およびほこりの中では停止するという欠陥および欠点を有する。パネルの生産コストは高く、太陽光蓄電および輸送において最も高価になる。風力エネルギーは、最も生産性が低く、その設備は、非常に高価で、近隣に住む人々に騒音をもたらす。それは風が吹くときだけ機能し、夏にはほとんど機能せず、核エネルギーおよび化石燃料により生成されたエネルギーは、人間および環境に危険をもたらす。本発明は、エネルギー分野においてその種の最初のものであり、継続的なクリーンで自由なエネルギーを提供する。
【０００４】
重力の力は、地表上の任意の場所でほぼ同じ、仮想定数である。一方、遠心力は、際限なく変化し、周期的または循環的作用として生成され得る。
【０００５】
エネルギー保存の原理は、１８６２年〜１８６３年にドイツで行われた一連の講義で、Ｈｅｒｍａｎｎ  Ｈｅｌｍｈｏｌｔｚにより確立され、科学界に普及した。Ｈｅｌｍｈｏｌｔｚらは、彼以降、熱、力学、磁気、電気、および化学物質における力、仕事、エネルギー、および運動の多くの事例を検討してきたが、明らかに遠心力の影響は探求していない。具体的には、求心と遠心は等しく、逆向きであるが、同じ物体には作用せず、したがって互いに相殺しない。また、回転速度が２倍になると、力は４倍になる。
【０００６】
１９世紀以降使用されているほぼいずれの物理学の教科書も、エネルギーの生成は不可能であることを伝えようとしている。エネルギー保存の原則は確実に証明されたことは決してなく、今まで証明されなかったことはないので、当然のことと思っていただけである。
【０００７】
Ｎｅｗｔｏｎの法則は、たまたま自然とある程度一致している。しかしながら、Ｅｉｎｓｔｅｉｎが示すように、それらはすべてを含んでいるわけではない
【０００８】
Ｎｅｗｔｏｎの運動の第１法則：外力を受けていない粒子は、静止したままであるか、一定の速度で直線に動く。角運動の場合：トルクが作用していない物体は、その静止状態を継続するか、回転している場合、一定の角運動量で回転し続ける。
【０００９】
フライホイールを使用して運動エネルギーを貯蔵し、後で使用することがある。例えば、電気モーターによりトルクが印加され、運動エネルギーがフライホイールに貯蔵される。摩擦を無視すると、理論的にはフライホイールは永遠に回転するであろう。フライホイールの回転に使用される同じ電気モーターを発電機として使用することもでき、後でフライホイールから運動エネルギーを抽出すると、効率は９５％を超える。
【００１０】
Ｎｅｗｔｏｎの運動の第２法則：粒子の加速度は、粒子に作用する外力の合成に正比例し、粒子の質量に反比例する。角運動の場合：角運動量の変化率は、印加されたトルクに等しい。
【００１１】
しかしながら、求心加速度は、角運動量および印加または抽出された任意のトルクに対して直角、つまり垂直に測定される。
【００１２】
Ｎｅｗｔｏｎの運動の第３法則：２つの粒子が相互作用する場合、第１の粒子が第２の粒子に及ぼす力（作用力と呼ばれる）は、第２の粒子が第１の粒子に及ぼす力（反作用の力と呼ばれる）と大きさが等しく、方向が逆向きである。角運動の場合：１つの物体に印加されたトルク（作用）に対応して、別の物体には常に等しく逆向きのトルクが存在する（反作用）。これら３つの法則は、運動エネルギーと角運動量の測定を説明し、可能にするが、遠心力は運動エネルギーと等しくなく、逆向きであり、遠心力は、回転運動エネルギーと角運動量に対して直角生成される副産物である。フライホイール設計技術者は、所定の回転速度を超えた場合、膨大な遠心力が発生するため、フライホイールが文字通り爆発することを知っている。コーナーを速く走りすぎた車は、文字通り道路から押し出され、遠心力により何度も横転する可能性がある。求心力および遠心力は、ほとんどの場合、回避または対処されるべき有害なものとして認識されてきたが、場合によっては、材料を分離するための遠心分離機において、または人工重力を生成するＮＡＳＡなどにより使用されることがある。
【００１３】
仕事を生成する方法として振り子の運動量を使用することは、何世紀にもわたって知られてきた。変化したのは、振り子の揺動を維持するための手段、ならびに有用な仕事を生成するためにより容易に適応可能な動作に、実質的に直線的な動作を変換するための手段である。
【００１４】
先行技術は、水域の波動運動に由来するエネルギーを利用するための装置であって、水中でそれを浮遊させて維持するのに十分な浮力を有する振り子組立体と、水の多方向への波動運動に実質的に従う第１の構造と、第１の構造に対して複数の平面において自由に動作するために組立体に取り付けた第２の構造と、を含む、装置を開示している。第２の構造は、重力により、かつ第１の構造の動作に由来する力により変位可能である。先行技術では、第１の構造と第２の構造とに接続されたデバイスがさらに提供され、第１の構造と第２の構造との間の相対運動に由来する力に応じた圧力出力を生成する。ある配置がデバイスの圧力出力に結合され、圧力出力に由来するエネルギーを少なくとも間接的に利用する。
【００１５】
また、先行技術は、一端において懸架され、振り子に振動動作を与える外部電力デバイスと動作可能な関係である振り子を含むエネルギー発生機を開示している。振り子は、一端に配置され、油圧流体シリンダと動作可能に連携し、シリンダ内の流体の油圧を増加させる重しを含む。電力出力デバイスは、高圧油圧流体を受け取り、出力電力を生成する。第２の実施形態は、振り子と発電デバイスとの間でエネルギーを伝達する電力ブースタに関する。
【００１６】
また、先行技術は、電気不良の場合に機械的エネルギーを蓄積する原動機を開示している。電気不良が発生した場合、原動機は、手動、またはバッテリバックアップを備えたコンピュータにより自動的に起動される。原動機は、振り子のように前後に振動し、次いで発電機を駆動して電気を生成する。原動機は、ベース部と、ベース部に回転可能に取り付けた要素と、ベース部に回転可能に取り付けたピックアップバランス部と、原動機を発電機に動作可能に接続する駆動部と、を備える。
【００１７】
発明の特許第ＣＮ８７１０６１３０号は、輸送車両上の振動エネルギー変換手段を開示しており、これは、制振スプリングがフレーム部に結合されているか、または追加の車両シャフトロッドと、球形ボウル状のセクションバー区画と、を有し、フレーム部に対して、シャフトを使用して、車両の振動エネルギーを、電気エネルギーの輸送車両電力、流体圧力エネルギー、ガス圧力エネルギー、既存の車両燃料または電力の代わりとなるエネルギー輸送手段に変換する。これは、スプリングロッドと球形ボウル状のセクションバー区画とにより、弾性位置エネルギーを他の形態のエネルギーに変換することで実現される。
【００１８】
発明の特許第ＣＮ２００８１００３１０８２．０号は、自然エネルギー生成システムを備える発動機、および発動機システムを開示しており、自然エネルギー生成システムは、発動機システムのパイプを介して接続され、自然エネルギー生成システムは、慣性質量、ばね共振部、ポンプ、または空気圧縮器を含む。本発明に係る発動機の振動エネルギーは、機械的な動作を生成することであり、変換の対象物はオイルポンプ内で変換され、油圧エネルギーを圧力エネルギーに変換するか、または空気圧縮器を駆動し、発動機の駆動を実現するが、対象のエネルギー変換における変動の問題には対処しない。
【００１９】
特許発明第ＣＮ２０１０１０１６５８２４６号は、発電機に接続した電力手段を備える重力発電機を開示しており、電力機構はチェーン機構によるチェーンスプロケットを含み、チェーン機構はその２つのスプロケットとともに直立に配置され、複数の重し部材はその上に配置される。中心線の左側と右側は、２つのスプロケットの落下区画に分割され、チェーン区画までの重し部材の落下区画はチェーンの重しアーム長まで上昇するアーム部材よりも上昇する。回転駆動発電機付き。
【００２０】
発明の特許第ＣＮ２００６８０００２１５７．１号は、発電における重力ギヤまたは重力ハイウェイを開示しており、それは、高重力から低重力へ、つまり高傾斜から低波動へ、次いで低傾斜から別の高傾斜へ前進遷移し、続いて低傾斜からの高傾斜へ、このような円形軌道のレベル、または直線軌道上の重力の引力まで繰り返し連続的に延在する。
【００２１】
現在、既知の重力エネルギー開発施設は、システムの複雑さ、高コスト、低効率、大規模な商業運用の困難さを有する。
【発明の概要】
【００２２】
本発明は、そのような既存の力を利用して電気エネルギーを供給する装置を提供する。本発明の発電デバイスは、現在の施設とあわせて追加の電気要件を供給するのに実質的に役立つことができる。本発明の発電デバイスは、住宅用発電機として使用し、住宅所有者が購入しなければならない電力量を低減してもよく、より大型のサイズで建設して、より大型の設備に追加の発電能力を提供してもよく、電力会社により発電所として使用される場合さえある。
本発明のいくつかの目的および利点は、次のとおりである。
（ａ）汚染しない再生可能エネルギー源を利用して使用可能な余剰電気を供給する。
（ｂ）地球上の汚染を低減する。
（ｃ）地球温暖化を低減する。
（ｄ）採炭および土地の破壊を削減する。
（ｅ）国外の石油への依存を低減する。
（ｆ）危険な原子力発電所の必要性を低減する。
（ｇ）消費者のエネルギーコストを低減する。
【００２３】
さらなる目的および利点は、以降の説明および図面を考慮することから明らかになるであろう。
【図面の簡単な説明】
【００２４】
本開示は、添付の図面とともに読まれたとき、以降の詳細な説明から最も良く理解される。業界における標準的な慣行に従い、さまざまな形状は、縮尺通りには描写されていないことを強調する。実際、さまざまな形状の寸法は、考察を明確にするために任意に拡大または縮小してもよい。
【図１】本開示の１つ以上の態様に係る例示的な発電機として示される装置の図である。本発明のデバイスの細部の正面図を示す。  １−デバイスの中央の吊り下げ振り子の上部  ２−２つの上側の鉄製の大型ギヤの間に振り子を固定する場所であって、デバイスの中央と上部における鉄製の中央壁の間にベアリングを設置するように接続される場所  ３−鉄製の上側の大型ギヤ  ４−中央の鉄製の壁の１つ  ５−懸架した振り子の両端からベアリングを介して水平に固定した駆動シャフトの端部、およびそれに接続された２つの大型ギヤ  ６−鉄製の中央壁と鉄製の外壁との間の鉄製の締結接続部  ７−それに取り付けた機械的一方向における運動制御機構であって、速度デバイスと運動増倍器はすべて鉄製の中央壁にベアリングを介して設置され、大型ギヤの下の第１の小型ギヤに接続されている  ８−駆動および伝動シャフト  ９−ベアリング  １０−中央ギヤ  １１−回転接続部  １２−鉄製の外壁に設置したベアリング  １３−外側の大型ギヤのみを固定するために鉄製の中央壁に溶接した鉄製のベース部  １４−大型ギヤの設置および駆動シャフトは、溶接したベース部にのみに設置され、鉄製の壁には直接接続されていない  １５−ベアリングを介して鉄製の外壁に設置した２つの中央ギヤの間の小型接続ギヤ。それは、外部の超大型ギヤの発動機であり、鉄製の中央壁への固定部、回転シャフトおよびベアリングにも設置されている  １６−鉄製の外壁に設置され、機械的一方向に自由回転子を備えた大型ベアリングであり、外側の大型ギヤはそれに取り付けられ、鉄製の中央壁に溶接したベース部に固定した駆動シャフトに接続される  １７−外側の超大型ギヤ  １８−機械運動制御デバイスには、速度デバイスおよび運動増倍器を取り付け、すべてが鉄製の中央壁に固定され、大型ギヤの下の第３の小型ギヤに接続されている  １９−駆動および伝動シャフト  ２０−ベアリング  ２１−中央ギヤ  ２２−回転接続部  ２３−鉄製の外壁に設置したベアリング  ２４−２つの鉄製の中央壁の間の大型ギヤの下の第３の小型ギヤ、および同じサイズのギヤであり、かつベアリングによってすべて中央壁に設置されている第１ギヤ。  ２５−超小型ギヤは、中央壁の間の第３の小型ギヤの下のベアリングに固定されている  ２６−デバイスの動作の計算および測定を行い、デバイスの制御および操作を支援するために、ベアリングを介して、超小型ギヤに接続された固定ダイナモ  ２７−吊り下げ振り子の下のエリアであって、それは上部よりも広く重く、上部はトルク位置であり、鉄製の重しまたはコンクリート立方体を含み、強度と動作を増大する  ２８−振り子の底部に取り付けた第１の反発磁石  ２９−デバイスの底部および中央部において鉄製の中央壁の間の駆動シャフトに固定した第２の反発磁石  ３０−ベアリングを介して設置した他の中央壁において、第２のシャフトに対して逆側のベアリングを介して鉄製の中央壁内の第２の反発磁石のために設置され、磁石を揺動し、かつ振り子を他の方向に常に押す単純な動作を支援する動作シャフト  ３１−発電ダイナモ  ３２−超小型ギヤは、外側の超大型ギヤのエッジに設置し、発電ダイナモを駆動する  ３３−本デバイスの細部をすべて保持する湾曲アーケード部上の２つの鉄製の外壁と２つの鉄製の中央壁との間の鉄製の設置接続部
【図２】図１に示した例示的な発電機の拡大図である。  デバイスの側面図を示す  １−２つの鉄製の中央壁の間のデバイスの上部においてベアリングを介して振り子に接続した大型ギヤの１つ  ２−上部の２つの大型ギヤと鉄製の吊り下げ振り子とを固定するベアリング  ３−鉄製の吊り下げ振り子であって、その底部は上部よりも広く重く、すべてのギヤを駆動するトルクはその中にある  ４−重力により常に動いている鉄製の湾曲ブラケットの１つ  ５−振り子の底部に取り付けた第１の反発磁石  ６−２つの鉄製の中央壁の間にあり、振り子の動作とともに揺動し、振り子が停止および休止しないように機能する第２の反発磁石
【図３】図１に示した発電機の動作を示す図である。デバイスの別の側面図を示す  １−デバイスの中央にあり、振り子の動作とともに振動動作を行う大型ギヤの１つ  ２−両側の鉄製の中央壁の１つの上部  ３−ギヤは超大型であり、一方向に外向きに動き、一方向デバイスにおける倍速動作、機械的および運動制御のために耐久性があり、連続的で、高速である  ４−超小型ギヤは、外側の超大型ギヤのエッジに設置され、発電ダイナモを駆動する  ５．鉄製の外壁の１つ  ６−鉄製のアーチ部の１つ  ７−デバイスの接地保持部に設置した鉄製のねじ付きベルトであって、デバイスを保持する鉄製の湾曲ブラケットの後方に同様に歯を位置決めし、ベルトの歯と噛み合わせ、激しい風およびハリケーンのエリアにおいてデバイスがその元の位置からずれないようにする必要があるとき、任意選択的にこれらのベルトを位置決めする
【発明を実施するための形態】
【００２５】
以下の詳細な説明では、本発明の一部を形成する添付図面を参照し、その図面は、本発明を実施してもよい例示的な実施形態により示される。これらの実施形態は、当業者が本発明を実施できるように十分詳細に説明されており、本発明の趣旨および範囲から逸脱することなく、他の実施形態を利用してもよく、機械的変更を行ってもよいことを理解されたい。したがって、以降の詳細な説明は、限定的な意味で取られるべきではなく、本発明の範囲は、請求項およびその等価物によってのみ定義される。
【００２６】
本発明の実施形態は、発電機デバイスとその構成要素を提供する。
【００２７】
以降の説明のために、空間的方向の用語は、使用される場合、添付の図面において方向付けされるか、または以降の詳細な説明において他の方法で説明されるとおり、参照される実施形態に関するべきである。しかしながら、以降に説明される実施形態は、多くの代替の変形形態および実施形態を想定してもよいことを理解されたい。添付の図面に示され、本明細書に説明されている具体的なデバイスは単に例示的なものであり、限定的と考えるべきではないことも理解されたい。
【００２８】
図１は、本発明に係る発電機デバイスであって、本デバイスは、中央および鉄製のＴ字棒においてデバイスの上部のベアリングの間に吊り下げている振り子を備える。振り子は、中央、上部および両側において壁の間に設置され、金属部に取り付けた中央ギヤの２つの発動機の２つの大型アーチ部により設置され、続いて発動機はさらに残りのギヤに取り付け、振り子内に大型ギヤを設置する。
【００２９】
鉄製の内壁。振り子およびねじ付きギヤの片側に吊り下げたベアリングの端部。速度および機械的動作のデバイス内のベアリング。ベアリングと速度および動作デバイスとの間の接続ビーム部、および一方向運動制御デバイス。ベアリングを使用した一方向における動作の機械的制御部。鉄製のねじ付き中央ギヤ。鉄製の外壁における設置ビーム部。
【００３０】
鉄製の外壁におけるベアリングの端部。内部の鉄壁に溶接された設置接続部。安定化、バランス調整および荷重ビーム部。小型ギヤと鉄製の外壁、続いて外側の鉄製の超大型ギヤとの間の接続ビーム部。外部の鉄製のギヤを設置するためのベアリングは超大型である。その端部において発電するダイナモの大型のねじ付き電動ギヤは、直接発電機に置き換えることができ、このギヤの動作は、自転車ホイールの動作に似た自動運動方向制御デバイスにより一方向において自由である。ベアリングを介して設置した速度および動作用デバイス。動作増倍器と、速度および一方向機械制御部を接続する円形ビーム部。
【００３１】
ベアリングを使用した運動制御部。ねじ付き中央ギヤ。ギヤと鉄製の外壁との間の接続ビーム部。鉄製の外壁におけるベアリングの端部。鉄製の中央内部ギヤ。超小型ギヤは、ピストンを交互に機械的に操作する。コンピュータまたはロボットにリンクされた動作センサーおよび測定部。懸架した振り子の底部は、その重しを有し、その重しは、バッテリまたは電気調整器またはコンクリート立方体であってもよく、これは多くの電気を生成するギヤのトルクおよび駆動力となる。
【００３２】
底部に懸架した振り子付着部を備えた磁石プレート。デバイスの接地ベース部に取り付けられ、振り子の動作に従ってそれと他の磁石との間で、動作可能な十分な距離で揺動させ、一方向において振り子を停止させず、振り子を他方の側に押し込むように揺動させることはない。下に磁石を保持する三角形の形状であり、懸架した振り子の動作とともに揺動可能なようにボルトを設置した鉄製のベース部。ダイナモは、風力発電ファンのダイナモと同様のエネルギー生成機である。振り子におけるトルクに依存して、外側の超大型ギヤエッジに２つ以上の発電機を設置できる。ダイナモモーターを動かす超小型ギヤは、鉄製の外側の超大型ギヤの下に設置される。その上に設置した鉄製の接地荷重ビーム部、鉄製のアーチ部および本発明の細部。
【００３３】
図２は、振り子の上部に設置した鉄製の大型ギヤの側部を含むデバイスの別の図を示す。懸架した振り子を含む上側ギヤのための設置ベアリング。懸架した鉄製の振り子。湾曲アーク部は４分円である。振り子の底部に設置した磁石。地表付近の２つの中央壁の間の底部に設置した磁石、および下側磁石を載せるベース部であり、懸架した振り子の動作の通過とともに左右にねじる方法を示している。
【００３４】
図３は、振り子の上部に固定され、振り子の動作に従って逆方向に動く大型ギヤを含むデバイスの動作図を示す。鉄製の内壁。外部のギヤは、超大型であり、機械的方向制御デバイスにより一方向に動く。超小型ギヤは、ダイナモ発電の発動機である外部の超大型ギヤの下に設置されている。鉄製の外壁。鉄製の湾曲アーチ部は、４分円であり、このデバイスは、その上の鉄製の床に設置する。
【００３５】
「ある（ａ、ａｎ）」および「その（ｔｈｅ）」という用語は、文脈上別段の明確な指示がない限り複数の指示対象を含む。例えば、「あるピストン」は、１つ以上のピストンを表現すると理解される。「ある（ａまたはａｎ）」という用語、ならびに「１つ以上」および「少なくとも１つ」という用語は、本明細書では互換的に使用できる。さらに、本明細書で使用される場合、「および／または」は、２つの指定された形状または構成要素のそれぞれの具体的な開示とみなすべきであり、他方があってもなくてもよい。したがって、本明細書において「Ａおよび／またはＢ」などの句で使用される「および／または」という用語は、「ＡおよびＢ」、「ＡまたはＢ」、「Ａ」（単独）、および「Ｂ」（単独）を含むものとする。同様に、「Ａ、Ｂ、および／またはＣ」などの句で使用される「および／または」という用語は、以降の態様のそれぞれを包含するものとする。Ａ、Ｂ、およびＣ、Ａ、Ｂ、またはＣ、ＡまたはＣ、ＡまたはＢ、ＢまたはＣ、ＡおよびＣ、ＡおよびＢ、ＢおよびＣ、Ａ（単独）、Ｂ（単独）、およびＣ（単独）。
【００３６】
本明細書で使用される場合、「備える（ｃｏｍｐｒｉｓｉｎｇ）」という転換用語は、「含む（ｉｎｃｌｕｄｉｎｇ）」、「含有する（ｃｏｎｔａｉｎｉｎｇ）」または「により特徴付けられる（ｃｈａｒａｃｔｅｒｉｚｅｄ  ｂｙ）」と同義であり、包括的または非限定型であり、追加の記述されていない要素または方法ステップを除外しない。しかしながら、本明細書における「備える」の各記述において、この用語は、代替の実施形態として、「から本質的になる」および「からなる」という句も包含することが意図され、「からなる」は、指定されていない任意の要素またはステップを除外し、「から本質的になる」は、考慮中の組成物または方法の本質的または基本的および新規な特徴に実質的に影響を与えない追加の未記述の要素またはステップを含むことを可能にする。
【００３７】
図面に示されている例を参照し、本明細書では具体的な文言を使用してそれを説明した。それにもかかわらず、それにより本技術の範囲を制限することが意図されないと理解されるであろう。本明細書に示される形状の変更およびさらなる修正、ならびに本明細書に示される例の追加の適用は、本説明の範囲内で考慮されるものとする。
【００３８】
さらに、説明された形状、構造または特徴は、１つ以上の例において任意の好適な方法で組み合わせてもよい。以上の説明では、説明された技術の例を完全に理解するために、さまざまな構成の例など、多数の具体的な詳細を提供した。しかしながら、１つ以上の具体的な詳細なしに、または他の方法、構成要素、デバイスなどとともに、本技術を実施してもよいことが認識されるであろう。他の例では、周知の構造または動作は、本技術の態様を不明瞭にすることを回避するために詳細に示されていないか、または説明されていない。
【００３９】
対象の発明を示すために、特定の代表的な実施形態および詳細を示してきたが、対象の発明の範囲から逸脱することなく、本明細書においてさまざまな変更および修正を実行できることが当業者には明らかであろう。この点において、本発明の範囲は、以降の請求項によってのみ制限されるものとする。
構成要素のリスト
１  振り子
２  大型ギヤ
３  鉄製の内壁
４  ベアリングの端部
５  鉄製の外壁
６  速度提供デバイス付きベアリング
７  ベアリングと速度提供デバイスとの間の接続ロッド
８  運動方向の機械的制御デバイス
９  鉄製のねじ付き中央ギヤ
１０  設置ビーム部
１１  鉄製の内壁における溶接継手
１２  設置およびバランス調整ビーム部
１３  ピニオンと鉄製の内壁との間の接続ロッド
１４  速度提供デバイス
１５  倍速デバイスと速度提供器を接続する円形ロッド
１６  制御デバイス
１７  運動測定ピニオン
１８  センサー
１９  反発磁石プレート
２０  鉄製のベース部
２１  ダイナモ
２２  ダイナモ動作ピニオン
２３  鉄製のビーム部
２４  ４分円のアーチ部
２５  ピストン
【図１】
2021518741.tif 000003
【図２】
2021518741.tif 000004
【図３】
2021518741.tif 000005
【国際調査報告】
2021518741.tif 000006
2021518741.tif 000007